(57)【特許請求の範囲】
【請求項１】
段ボール板からなる表示板と、表示板の拡開度を規制する表示板裏面に橋渡される支持板とからなる標示具であって、
表示板は、
段ボール板の一面である表面を山折にして二つの標示面とするため段ボール板の他の面である裏面側に設けた一以上の第一切込線を有し、
前記支持板は、
段ボール板の裏面側に対して平行に設けられる切込線であって、限界的に折り曲げられることで、段ボール板の閉鎖角を規制する第二切込線と、
橋渡された支持板の段ボール板接続部近くに段ボール板面にそって支持板の空側に閉じる方向に折り曲げることで自身をたたみ、もって段ボール板をたたむことができる一対の第三切込線と、をそなえ、
段ボール板の山折にされてできる稜線部分の一部を切り欠くことにより残された部分をコーンバーのリング部分をかけるための凸部とする標示具。
【請求項２】
段ボール板の山折にされてできる稜線部分に付属品差し込みのための差込穴を設けた請求項１に記載の標示具。
【請求項３】
段ボール板は、プラスチック段ボール板である請求項１又は２に記載の標示具。
【発明の詳細な説明】
【技術分野】
【０００１】
本発明は、段ボール板からなる開閉自在な標示具であって、開いた場合の拡開度を所定角度に保持することにより、風圧などで閉じて倒れることのない標示具に関する。
【背景技術】
【０００２】
道路交通の安全等を図るため車両運転者等に必要な情報を表示するための標示具において、設置や運搬等の取扱いの便宜のため折り畳み式の標示具がよく用いられている。このような折り畳み式の標示具は、風や走行車両による風圧などで閉じて倒れてしまうことがある。
【０００３】
そこで、この問題を解決するために、例えば、実用新案登録第３０８６８７８号には、表示板の内側の面に、ねじりバネと、ねじりバネを介して可動に取り付けた支持体を有し、この支持体が表示板の内側で、表示板の開く角度を一定に保持する考案が開示されている。
【先行技術文献】
【特許文献】
【０００４】
【特許文献１】実登３０８６８７８号公報
【発明の概要】
【発明が解決しようとする課題】
【０００５】
しかし、この考案では、ねじりバネなどを用いることで構造が複雑になり、また、製造コストが高くなるという問題がある。
【課題を解決するための手段】
【０００６】
そこで、本発明では、上記課題に鑑み、以下の標示具を提供する。すなわち、第一の発明としては、段ボール板からなる表示板と、表示板の拡開度を規制する表示板裏面に橋渡される支持板とからなる標示具であって、表示板は、段ボール板の一面である表面を山折にして二つの標示面とするため段ボール板の他の面である裏面側に設けた一以上の第一切込線を有し、前記支持板は、段ボール板の裏面側に対して平行に設けられる切込線であって、限界的に折り曲げられることで、段ボール板の閉鎖角を規制する第二切込線と、橋渡された支持板の段ボール板接続部近くに段ボール板面にそって支持板の空側に閉じる方向に折り曲げることで自身をたたみ、もって段ボール板をたたむことができる一対の第三切込線と、をそなえた標示具を提供する。
【０００７】
第二の発明としては、段ボール板の山折にされてできる稜線部分にコーンバーのリング部分をかけるための凸部を設けた第一の発明に記載の標示具を提供する。
【０００８】
第三の発明としては、段ボール板の山折にされてできる稜線部分に付属品差し込みのための差込穴を設けた第一の発明または第二の発明に記載の標示具を提供する。
【０００９】
第四の発明としては、段ボール板は、プラスチック段ボール板である第一の発明から第三の発明のいずれか一に記載の標示具を提供する。
【発明の効果】
【００１０】
本発明により、段ボール板を活用して容易な加工で、風圧などで閉じて倒れることのない標示具を提供することが可能となる。
【図面の簡単な説明】
【００１１】
【図１】実施形態１に係る標示具の一例を示す概念図
【図２】実施形態１に係る標示具における表示板の概念図
【図３】実施形態１に係る標示具の閉じた状態を示した概念図
【図４】実施形態１に係る標示具の開閉の態様を示す概念図
【図５】実施形態１に係る標示具における支持板の概念図
【図６】実施形態１に係る標示具の開閉の態様を示す概念図
【図７】実施形態１に係る標示具における支持板の概念図
【図８】実施形態１に係る標示具における滑り止め部材を説明する概念図
【図９】実施形態１に係る標示具の一例を示す概念図
【図１０】実施形態１に係る標示具の一例を示す概念図
【図１１】実施形態１に係る標示具における支持板の概念図
【図１２】実施形態１に係る標示具の開閉の態様を示す概念図
【図１３】実施形態２に係る標示具の一例を示す概念図
【図１４】実施形態２に係る標示具の一例を示す概念図
【図１５】実施形態２に係る標示具の一例を示す概念図
【図１６】実施形態２に係る標示具における凸部を説明する概念図
【図１７】実施形態３に係る標示具の一例を示す概念図
【発明を実施するための形態】
【００１２】
以下、本発明の実施の形態について、添付図面を用いて説明する。なお、本発明は、これら実施形態に何ら限定されるべきものではなく、その要旨を逸脱しない範囲において、種々なる態様で実施し得る。
【００１３】
実施形態１は、主に請求項１、請求項４などに関する。実施形態２は、主に請求項２などに関する。実施形態３は、主に請求項３などに関する。
＜実施形態１＞
＜実施形態１  概要＞
【００１４】
本実施形態の概念図を図１に示す。標示具（０１００）は、段ボール板からなる表示板（０１０１）と、表示板の開拡度を規制する表示板裏面に橋渡される支持板（０１０２）とからなる。表示板を山折にして開閉自在とすることで、標示具を起立状態や折り畳み状態にすることが可能となる。そして、支持板に備えられる第二切込線が、支持板を折り曲げる際の閉鎖角を規制することにより、表示板の開拡度を規制し、風圧などで閉じて倒れることがなくなる。
＜実施形態１  構成＞
【００１５】
本実施形態に係る標示具（０１００）は、段ボール板からなる表示板（０１０１）と、表示板の拡開度を規制する表示板裏面に橋渡される支持板（０１０２）とからなる標示具であって、表示板は、段ボール板の一面である表面を山折にして二つの標示面とするため段ボール板の他の面である裏面側に設けた一以上の第一切込線（０１０３）を有し、前記支持板は、段ボール板の裏面側に対して平行に設けられる切込線であって、限界的に折り曲げられることで、段ボール板の閉鎖角を規制する第二切込線（０１０４）と、橋渡された支持板の段ボール板接続部近くに段ボール板面にそって支持板の空側に閉じる方向に折り曲げることで自身をたたみ、もって段ボール板をたたむことができる一対の第三切込線（０１０５、０１０６）と、をそなえた標示具である。
【００１６】
表示板や支持板は段ボール板からなるものであるが、段ボール板は紙製やプラスチック製などが存在するが、耐久性などの面からプラスチック製の段ボール板を用いることが好ましい。このプラスチック段ボール板は、例えば、ポリプロピレンなどのプラスチックの溶融押出しにより形成された、２枚のシートとそれらを連結して平行に走る多数のリブとからなる中空構造の板状体である。プラスチック段ボール板は、その厚さにおいて、例えば、５ｍｍ、６ｍｍ、９ｍｍ、１０ｍｍ、１２ｍｍ、１５ｍｍ、１６ｍｍ、など様々に存在する。標示具の大きさなどに応じて、これらを適宜用いることができる。
【００１７】
表示板は、段ボール板の一面である表面を山折にして二つの標示面とするため段ボール板の他の面である裏面側に設けた一以上の第一切込線を有している。図２は、平面上に展開した表示板の概念図である。図２（ａ）は、表示板の表面を示したものである。表示板の表面（０２０１）には、矢印（０２０２）などの何らかの標示を示すとともに、視認性を向上させるために再帰反射シートなどを貼付してもよい。
【００１８】
図２（ｂ）は、表示板の裏面を示したものである。表示板の裏面（０２０３）には、二の第一切込線（０２０４）が設けられている。段ボール板には、所定の厚みがあるので、表示板の表面を構成するシートを残し、裏面に略Ｖ字型の溝状の切込を施すことにより、段ボール板を山折にすることが可能となる。また、切込は略Ｖ字型に限らず、略Ｕ字型や凹型の溝状の切込であってもよい。なお、切込を施した断面の中空部分を、熱を加えることなどにより、塞いでもよい。この点は、第二切込線、第三切込線についても同様である。第一切込線は、段ボール板のリブの方向に対して垂直方向に施すことが、標示具の強度保持において好ましい。
【００１９】
図３は、閉じた状態の標示具を示した概念図である。表示板（０３０１）の裏面には、表示板を橋渡しする支持板（０３０２）が備えられる。支持板には、第二切込線（０３０３）と第三切込線（０３０４）とを備え、支持板は、その一部が表示板の裏面に接着される。
【００２０】
図４および図５を用いて、支持板について説明する。図４は、標示具の開閉の態様を示す概念図である。標示具は、表示板（０４０１）の裏面に橋渡しされる支持板（０４０２）にそなえられる第二切込線（０４０３）と第三切込線（０４０４）とが折り曲げられることにより開閉自在となる。開拡度は、第二切込線をそなえた支持板により規制される。図４（ａ）は閉じた状態の標示具を示し、図４（ｂ）は標示具をいったん開き、支持板を第二切込線にて谷折にする態様を示している。図４（ｃ）は、支持板が限界的に折り曲げられることで、閉鎖角が角度θに規制されている態様を示している。このように、表示板の開拡度が規制されることにより、例えば、標示具に風圧がかかる場合にも、閉じることはなく、その結果標示具が倒れることもない。
【００２１】
図５（ａ）は、図４の支持板を展開した状態を示す概念図である。支持板（０５０１ａ）は、第二切込線（０５０２ａ）と一対の第三切込線（０５０３ａ、０５０４ａ）とが設けられ、支持板の両端側の部分（０５０５ａ、０５０６ａ）が表示板裏面との接続部となる。支持板は、第二切込線が設けられている側が標示具を地上に設置した際に空側を向くように表示板裏面に接続される。接続するためには、接着材などを用いて接続してもよいし、ネジやリベットなどの留め具を用いて接続してもよい。
【００２２】
第二切込線は、支持板が表示板裏面に接続される際に、切込線が表示板裏面側に対して平行になるように設けられ、また、支持板を略半分に横断するように設けられる。第二切込線は、段ボール板を構成する二のシートのうち、表示板裏面に接続される際に地上側の一方を残し、空側のシートおよびリブに、例えば、略Ｖ字型の溝状に切込を施したものである。この溝状の切込の切り口を閉じるように折り曲げ、切り口が閉じ合わされた状態に至ると、それ以上折り曲げることができなくなる。このようにして、支持板の閉鎖角が規制される。溝状の切り口を広くすれば、規制される閉鎖角はより小さくなり、また、切り口を狭くすれば、閉鎖角はより大きくなる。
【００２３】
第三切込線は、前記接続部近くに設けられ、第二切込線と略平行に設けられる。第三切込線は、段ボール板を構成する二のシートのうち、表示板裏面に接続される際に地上側の一方を残し、空側のシートおよびリブに切込を施したものである。図５（ｂ）は、支持板が限界的に折り曲げられた状態を示したものである。これは、図４（ｃ）と対応する状態を示したものである。
【００２４】
図６は、図４および図５で示したものとは別の支持板を備えた標示具の開閉の態様を示す概念図である。標示具は、表示板（０６０１）の裏面に橋渡しされる支持板（０６０２）にそなえられる第二切込線（０６０３）と第三切込線（０６０４）とが折り曲げられることにより開閉自在となる。ここで、第二切込線は先に示したものと同様であるが、第三切込線は第二切込線が設けられる面と反対側に設けられている。また、表示板裏面と接続する面も反対側に設けられる。
【００２５】
図７（ａ）は、図６の支持板を展開した状態を示す概念図である。支持板（０７０１ａ）は、第二切込線（０７０２ａ）と一対の第三切込線（０７０３ａ、０７０４ａ）とが設けられ、支持板の両端側の部分（０７０５ａ、０７０６ａ）が表示板裏面との接続部となる。また、図７（ｂ）は、支持板が限界的に折り曲げられた状態を示したものである。これは、図６（ｃ）と対応する状態を示したものである。
【００２６】
標示具が接地する部分には、ゴムなどの滑り止めのための部材を設けてもよい。例えば、図１の標示具において標示面の下端の斜線部分のような具合である。滑り止め部材を設ける場合の一例を図８に示す。図８は表示板の端部に滑り止め部材を設けた場合における表示板の断面を示したものである。表示板の端部（０８０１）と滑り止め部材（０８０２）とを、Ｈ字型の接続部材（０８０３）を介在させて、リベットなどの留め具（０８０４）で固定したものである。このように滑り止め部材を設けることで、より安定的に標示具を設置することができる。
【００２７】
図９は、本実施形態に係る標示具の別の一例を示すものである。ここでは、表示板に工事中を示すピクトグラムを表示している。このように標示具を縦長の形態とした場合には、立て看板としても用いることができる。また、道路や工事現場などの規制や区分けを目的として設置されるコーン（ロードコーン、パイロン）としても用いることができる。このように、本実施形態に係る標示具は、様々な大きさを採用することが可能である。標示面の大きさで表現するならば、標示面の寸法（縦×横）は、例えば、４５０×３００（単位は、以下、ミリメートル）、４５０×４５０、５５０×６００、６００×９００、７００×１２００、７００×１８００、等が挙げられる。これらは、用途などに応じて種々の寸法を採用し得る。また、寸法に応じて段ボール板の厚みを変えてもよい。また、標示面の形状は長方形に限られるものではなく、標示面の下側の幅を広くした形状としてもよい。その場合には、より安定的に設置することが可能となる。
【００２８】
図１０は、本実施形態に係る標示具の別の一例を示す概念図である。これは、表示板（１００１）に、さらに第四切込線（１００２）を備えたものである。第四切込線は、表示板の表面に第一切込線と略平行に溝状の切込を施したものである。図中に四角で囲んで示しているものは、第四切込線が備えられた表示板の断面を拡大した概念図である。図示したＵ字状の溝の他にも、例えば、Ｖ字状の溝であってもよい。このように切込を施すことにより、表示板が折り曲げ自在となるとともに溝状の切込線が限界的に閉じられることにより表示板の開拡度を規制することができる。また、第四切込線により標示具は開閉自在となるので、第一切込線にて山折された部分が開閉しないように固定することもできる。
【００２９】
図１１は、支持板の別の一例を示す概念図である。支持板（１１０１）の第三切込線（１１０２）における断面の一部に、突起部（１１０３）が設けられている。この突起部は、第三切込線から、表示板裏面に接続されるための接続部（１１０４）側に向けて支持板の一部を切り抜いたものである。図１２は、この支持板を備えた標示具の開閉の態様を示す概念図である。図中において、丸で囲んで示しているのは、表示板と支持板とが接続している付近を拡大した概念図である。表示板（１２０１ａ）の一領域であって支持板（１２０１ｂ）が接続される近傍には、板部材（１２０３ａ）が取り付けられている。この場合、表示板と支持板との接続や、板部材の取り付けには、ネジやリベット等の留め具を用いることが好ましい。このように構成することにより、表示板や支持板の可撓性を利用して、支持板を山折状態から谷折状態になるように押し下げる際に第三切込線の断面における突起部（１２０４ａ）が前記板部材に引っかかり、さらに力を加えて押し下げることで谷折状態となる。支持板を谷折状態から山折状態にする際も同様である。このように、第三切込線における突起部と、表示板裏面に取り付けた板部材により、山折から谷折、あるいは、谷折から山折への支持板の状態を変化させる際に、一定の力を加える必要があり、標示具が勝手に開いたり閉じたりすることを一定の範囲で抑制することができる。なお、板部材として、例えば、図８に示した滑り止め部材を設けるためのＨ字型の接続部材を用いてもよい。
【００３０】
なお、本実施形態に係る標示具は、一の支持板を備えるものに限定するわけではなく、複数の支持板を備えるものであってもよい。
＜実施形態１  効果＞
【００３１】
本実施形態の標示具により、段ボール板を活用して容易な加工で、風圧などで閉じて倒れることのない標示具を提供することが可能となる。
＜実施形態２＞
＜実施形態２  概要＞
【００３２】
本実施形態の標示具は、コーンバーのリング部分をかけるための凸部を設けることにより、標示具をコーンバーと組み合わせて使うことが可能となる。したがって、規制や区分けを行う際のバリケードとしても用いるなど、多様な使い方を実現することが可能となる。
＜実施形態２  構成＞
【００３３】
本実施形態の標示具は、実施形態１の標示具を基本とし、段ボール板の山折にされてできる稜線部分にコーンバーのリング部分をかけるための凸部を設けたものである。図１３に、本実施形態の標示具の一例を示す。
【００３４】
図１３は、本実施形態の標示具の一例を示す概念図である。標示具（１３０１）は、二の第一切込線にて山折してなるものであり、その山折にされてできる部分（１３０２）が、稜線部分である。そして、稜線部分の一部を切り欠き、切り欠かれずに残された部分が凸部（１３０３、１３０４、１３０５）となる。このように凸部を設けることにより、別途部材を必要とすることなくコーンバーのリング部分をかけることが可能となる。なお、切り欠く形状については、何ら限定するものではなく、コーンバーのリング部分をかけることができる凸部を形成するものであればよい。
【００３５】
図１４は、コーンバーのリング部分を凸部にかけた状態の標示具の一例を示す概念図である。標示具（１４０１）の稜線部分（１４０２）には、凸部（１４０３、１４０４）が設けられ、その凸部にコーンバー（１４０５、１４０６）のリング部分がかけられている。図示したように、コーンバーを様々な方向にかけることができるので、コーンバーと組み合わせて多様な使い方が可能となる。
【００３６】
図１５は、縦に長い標示具の一例を示したものである。このような標示具（１５０１）の場合には、稜線部分の中央部分を切り欠くことにより、残された稜線部分の両端部のそれぞれ（１５０２、１５０３）が凸部となり、コーンバー（１５０４、１５０５）のリング部分をかけることが可能となる。
【００３７】
凸部は、稜線部分の一部を切り欠くことにより設ける場合の他、別途何らかの部材を用いて設けてもよいことは言うまでもない。例えば、図１６に示すように、稜線部分（１６０１）に柱状の部材（１６０２）を取り付けて凸部としてもよいし、Ｔ字状の部材（１６０３）を取り付けて凸部としてもよい。
【００３８】
また、第四切込線を備える標示具においては、稜線部分が開閉しないように固定することができ、より安定的にコーンバーのリング部をかけることが可能となる。また、稜線部分がより丈夫になるため、コーンバーをかけることによる負荷に十分耐えることのできる、より丈夫な標示具となり得る。
＜実施形態２  効果＞
【００３９】
本実施形態の標示具により、コーンバーと組み合わせて使うことが可能となり、多様な使い方を実現することが可能となる。
＜実施形態３＞
＜実施形態３  概要＞
【００４０】
本実施形態の標示具は、工事灯や保安灯など標示具とあわせて使用されることの多い付属品を差し込むための差込穴を稜線部分に設けたものである。
＜実施形態３  構成＞
【００４１】
本実施形態の標示具は、実施形態１または２を基本として、段ボール板の山折にされてできる稜線部分に付属品差し込みのための差込穴を設けたものである。
【００４２】
付属品とは、例えば、工事灯や保安灯などが挙げられる。これらは、道路工事現場などにおいて、通行車両や歩行者、作業者などの安全を確保するために、コーンやバリケード、ガードレールなどに取り付けられ、通行車輌や歩行者、作業員を誘導等するものである。このような付属品を設置するためには、上述したコーンなどにクランプやホルダーなどの取付器具を用いる必要がある。
【００４３】
図１７は本実施形態の標示具の一例を示す概念図である。標示具（１７０１）の稜線部分（１７０２）には、付属品を差し込むための差込穴（１７０２）が設けられている。図中に示した付属品（１７０４）は、注意喚起や誘導などを目的とする工事灯である。この工事灯の円筒部分を差込穴に差し込むことにより、別途取付器具などを用いることなく標示具に取付けることが可能となる。
【００４４】
ここで、付属品は、把持するため、あるいは、乾電池を収納するためなどにより、その一部に円筒部分を有する場合が多い。そこで、図中においては稜線部分を丸く切り欠き差込穴を設けている。差込穴の形状が丸であることに限られないことは言うまでもなく、標示具とあわせて使用する付属品に応じた差込穴を設ければよい。
【００４５】
また、第四切込線を備える場合には、稜線部分にて標示具が開閉しないように固定することができ、より安定的に付属品を差し込むことが可能となる。
＜実施形態３  効果＞
【００４６】
本実施形態の標示具により、別途取付器具などを用いることなく、付属品を取り付けることが可能となる。
【符号の説明】
【００４７】
０１００  標示具
０１０１  表示板
０１０２  支持板
０１０３  第一切込線
０１０４  第二切込線
０１０５  第三切込線
０１０６  第三切込線
【図１】
0005477559.tif 000002
【図２】
0005477559.tif 000003
【図３】
0005477559.tif 000004
【図４】
0005477559.tif 000005
【図５】
0005477559.tif 000006
【図６】
0005477559.tif 000007
【図７】
0005477559.tif 000008
【図８】
0005477559.tif 000009
【図９】
0005477559.tif 000010
【図１０】
0005477559.tif 000011
【図１１】
0005477559.tif 000012
【図１２】
0005477559.tif 000013
【図１３】
0005477559.tif 000014
【図１４】
0005477559.tif 000015
【図１５】
0005477559.tif 000016
【図１６】
0005477559.tif 000017
【図１７】
0005477559.tif 000018